(57)【要約】【課題】プラグコネクタ、レセプタクルコネクタの何れか一方を上下反転させても嵌合させることができる部品点数が少なく安価な電気コネクタを提供する。【解決手段】第１コネクタと第２コネクタとを備える電気コネクタであって、前記第１コネクタは、一方向に配列された複数の第１コンタクトと、複数の前記第１コンタクトを保持し、かつ挿入孔を有する第１ハウジングとを備え、前記第２コネクタは、複数の前記第１コンタクトと対応する位置に配列され、前記第１コンタクトと接触する接触部２４ａを有する複数の第２コンタクト２４と、複数の前記第２コンタクトを保持し、前記挿入孔に挿入される板状部を有する第２ハウジング２６とを備え、前記接触部は、前記板状部の上下両面から露出し、前記板状部の上面側２４ｃまたは前記板状部の下面側２４ｄの何れか一方が前記第１コンタクトと接触する。【選択図】図６
2015213000.tif 000002
【特許請求の範囲】
【請求項１】
第１コネクタと第２コネクタとを備える電気コネクタであって、
前記第１コネクタは、
一方向に配列された複数の第１コンタクトと、
複数の前記第１コンタクトを保持し、かつ挿入孔を有する第１ハウジングと
を備え、
前記第２コネクタは、
複数の前記第１コンタクトと対応する位置に配列され、前記第１コンタクトと接触する接触部を有する複数の第２コンタクトと、
複数の前記第２コンタクトを保持し、前記挿入孔に挿入される板状部を有する第２ハウジングと
を備え、
前記接触部は、前記板状部の上下両面から露出し、前記板状部の上面側または前記板状部の下面側の何れか一方が前記第１コンタクトと接触することを特徴とする電気コネクタ。
【請求項２】
前記第１コネクタまたは前記第２コネクタの何れか一方を上下反転させて嵌合可能な請求項１記載の電気コネクタ。
【請求項３】
前記第２コネクタは、複数の前記第２コンタクトと前記第２ハウジングがインサート成形されていることを特徴とする請求項１または２記載の電気コネクタ。
【請求項４】
前記接触部は、前記板状部の上面側と前記板状部の下面側との間に貫通穴を少なくとも一つ備えることを特徴とする請求項１〜３の何れか一項に記載の電気コネクタ。
【請求項５】
前記接触部は、
前記板状部の上面に露出する上接触部と、
前記板状部の下面に露出する下接触部と、
前記上接触部と前記下接触部との間に形成され、前記板状部の先端側の位置に開口を有するスリットと
を備えた略音叉形状を有することを特徴とする請求項１〜３の何れか一項に記載の電気コネクタ。
【請求項６】
前記接触部は、
前記板状部の先端側の位置で折り返す折り返し部を有する第１接触部と、
前記折り返し部から前記板状部の先端側と反対方向に向けて、前記第１接触部の付根に対応する位置の手前まで延びる第２接触部と
を備えることを特徴とする請求項１〜３の何れか一項に記載の電気コネクタ。
【請求項７】
一部の前記第２コンタクトの前記接触部は、
前記板状部の上面に露出する上接触部と、
前記板状部の下面に露出する下接触部と、
前記上接触部と前記下接触部との間に形成され、前記板状部の先端側の位置に開口を有するスリットと
を備えた略音叉形状を有することを特徴とする請求項４記載の電気コネクタ。
【請求項８】
一部の前記第２コンタクトの前記接触部は、
前記板状部の先端側の位置で折り返す折り返し部を有する第１接触部と、
前記折り返し部から前記板状部の先端側と反対方向に向けて、前記第１接触部の付根に対応する位置の手前まで延びる第２接触部と
を備えることを特徴とする請求項４記載の電気コネクタ。
【請求項９】
前記第１コネクタは、前記第１ハウジングの外周を覆う第１シェルを備え、
前記第２コネクタは、前記第２ハウジングの外周を覆う第２シェルを備えることを特徴とする請求項１〜８の何れか一項に記載の電気コネクタ。
【請求項１０】
前記第１コネクタは、前記第１コネクタが前記第２コネクタに嵌合された状態にロックするロック金具をコンタクト配列方向の両側部に備え、
前記第２シェルは、前記第１コネクタまたは前記第２コネクタの何れか一方を上下反転させて前記ロック金具と係合可能な係合部をコンタクト配列方向の両側面に備えることを特徴とする請求項９記載の電気コネクタ。
【請求項１１】
前記第１コネクタは、前記第１コネクタが前記第２コネクタに嵌合された状態にロックするロック金具をコンタクト配列方向の両側部に備え、
前記第２シェルは、前記第１コネクタまたは前記第２コネクタの何れか一方を上下反転させて前記ロック金具と係合可能な係合部を前記第２シェルの上面および下面のコンタクト配列方向両端部に備えることを特徴とする請求項９記載の電気コネクタ。
【発明の詳細な説明】
【技術分野】
【０００１】
本発明は、電気コネクタに関するものである。
【背景技術】
【０００２】
従来、プラグコネクタ、レセプタクルコネクタの何れか一方を上下反転させても嵌合させることができるコネクタが存在する（例えば、特許文献１参照）。
【先行技術文献】
【特許文献】
【０００３】
【特許文献１】特表２０１３−５３２３５１号公報
【発明の概要】
【発明が解決しようとする課題】
【０００４】
ところで、上述のコネクタにおいては、何れか一方のコネクタを上下反転させて嵌合できるようにするために、レセプタクルコネクタ、及びプラグコネクタにそれぞれ上下二列のコンタクトを配列している。このため、部品点数が多くなり製造コストが割高になるという問題があった。
【０００５】
本発明の目的は、プラグコネクタ、レセプタクルコネクタの何れか一方を上下反転させても嵌合させることができる部品点数が少なく安価な電気コネクタを提供することである。
【課題を解決するための手段】
【０００６】
本発明の電気コネクタは、第１コネクタと第２コネクタとを備える電気コネクタであって、前記第１コネクタは、一方向に配列された複数の第１コンタクトと、複数の前記第１コンタクトを保持し、かつ挿入孔を有する第１ハウジングとを備え、前記第２コネクタは、複数の前記第１コンタクトと対応する位置に配列され、前記第１コンタクトと接触する接触部を有する複数の第２コンタクトと、複数の前記第２コンタクトを保持し、前記挿入孔に挿入される板状部を有する第２ハウジングとを備え、前記接触部は、前記板状部の上下両面から露出し、前記板状部の上面側または前記板状部の下面側の何れか一方が前記第１コンタクトと接触することを特徴とする。
【発明の効果】
【０００７】
本発明によれば、プラグコネクタ、レセプタクルコネクタの何れか一方を上下反転させても嵌合させることができる部品点数が少なく安価な電気コネクタを提供することができる。
【０００８】
また、本発明によれば、強度が高くかつインピーダンスの低下を防止することが可能な薄型の電気コネクタを提供することができる。
【図面の簡単な説明】
【０００９】
【図１】実施の形態に係るプラグコネクタの斜視図である。
【図２】実施の形態に係る第１ハウジングの斜視図である。
【図３】実施の形態に係る第１ハウジングの断面図である。
【図４】実施の形態に係るレセプタクルコネクタを示す斜視図である。
【図５】実施の形態に係る第２ハウジングを示す斜視図である。
【図６】実施の形態に係る第２ハウジングを示す断面図である。
【図７】実施の形態に係るレセプタクルコネクタにプラグコネクタを嵌合させた状態を示す断面図である。
【図８】実施の形態に係るレセプタクルコネクタにプラグコネクタを上下反転して嵌合させた状態を示す断面図である。
【図９】他の実施の形態に係る第２コンタクトを示す図である。
【図１０】他の実施の形態に係る第２コンタクトを示す図である。
【図１１】他の実施の形態に係るプラグコネクタの斜視図である。
【図１２】他の実施の形態に係るレセプタクルコネクタを示す斜視図である。
【図１３】他の実施の形態に係るレセプタクルコネクタにプラグコネクタを嵌合させた状態を示す斜視図である。
【図１４】他の実施の形態に係るレセプタクルコネクタにプラグコネクタを嵌合させた状態を示す図である。
【図１５】実施の形態に係るプラグコネクタを示す斜視図である。
【図１６】他の実施の形態に係るレセプタクルコネクタを示す斜視図である。
【図１７】他の実施の形態に係るレセプタクルコネクタにプラグコネクタを嵌合させた状態を示す断面図である。
【図１８】他の実施の形態に係るレセプタクルコネクタにプラグコネクタを上下反転して嵌合させた状態を示す断面図である。
【発明を実施するための形態】
【００１０】
以下、図面を参照して、本発明の実施の形態に係る電気コネクタについて説明する。図１は実施の形態に係るプラグコネクタの斜視図である。図１に示すように、プラグコネクタ２は、一方の方向に配列された複数の第１コンタクト４とこれらを保持する第１ハウジング６、及び第１ハウジング６の外周を覆う第１シェル８を備えている。
【００１１】
ここで、第１ハウジング６は、絶縁性を有する樹脂部材によって形成され、第１コンタクト４は、導電性を有する金属部材によって形成されている。
【００１２】
図２は実施の形態に係る第１ハウジング６を示す図であり、図３はその断面図である。図２、３に示すように、第１ハウジング６は、第１コンタクト４がインサート成形されたコンタクト保持部６ａ、及び板状部２６ａ（図５参照）が挿入される矩形状の挿入孔１０が形成された挿入部６ｂを備えている。また、第１コンタクト４は、一方の端部に山形状に屈曲し第２コンタクト２４（図６参照）と接触する接点部４ａを有している。なお、接点部４ａは、挿入孔１０の位置する位置に配置され、挿入孔１０の下側底面から上方に突出している。
【００１３】
図４は実施の形態に係るレセプタクルコネクタの斜視図である。図４に示すように、レセプタクルコネクタ２２は、複数の第２コンタクト２４とこれを保持する第２ハウジング２６、及び第２ハウジング２６の外周を覆う第２シェル２８を備えている。また、第２シェル２８内には、プラグコネクタ２（図１参照）を受入れるための空間である受入孔３０が形成されている。なお、第２ハウジング２６は、絶縁性を有する樹脂部材によって形成され、第２コンタクト２４は、導電性を有する金属部材によって形成されている。
【００１４】
図５は実施の形態に係る第２ハウジング２６を示す斜視図であり、図６はその断面図である。図５、６に示すように、第２ハウジング２６は、平面視矩形状の板状部２６ａ、及び板状部２６ａを受入孔３０内の所定の位置に保持するボディ部２６ｂを備えている。また、第２ハウジング２６には、複数の第２コンタクト２４がそれぞれ第１コンタクト４の位置と対応する位置にインサート成形されている。
【００１５】
ここで、第２コンタクト２４は、第１コンタクト４と接触する接触部２４ａ、及び図示しない回路基板に接続される接続部２４ｂを備えている。また、接触部２４ａの上側部分２４ｃは、板状部２６ａの上側表面から露出し、接触部２４ａの下側部分２４ｄは、板状部２６ａの下側表面から露出している。また、上側部分２４ｃと下側部分２４ｄの中間には、第２コンタクト２４をコンタクト配列方向に貫通する貫通穴３２が第２コンタクト２４の延びる方向に沿って複数形成されている。なお、貫通穴３２には、射出成型時に樹脂部材が充填され、第２コンタクト２４が第２ハウジング２６にインサート成形される。このように、第２コンタクト２４を上下別部材に分離せず一部材で構成し、第２コンタクト２４内部に形成された貫通穴３２に樹脂部材を充填することにより、板状部２６ａの強度が増強される。また、板状部２６ａの板厚を薄型化することができ、インピーダンスの低下を防止することができる。
【００１６】
図７は、実施の形態に係るレセプタクルコネクタ２２にプラグコネクタ２を嵌合させた状態を示す断面図である。図７に示すように、レセプタクルコネクタ２２の受入孔３０にプラグコネクタ２の第１ハウジング６が挿入されると、第１ハウジング６の挿入孔１０にレセプタクルコネクタ２２の板状部２６ａが挿入され、第１コンタクト４の接点部４ａが第２コンタクト２４の接触部２４ａの下側部分２４ｄと接触する。これにより、第１コンタクト４と第２コンタクト２４とが電気的に接続される。
【００１７】
また、図８に示すように、プラグコネクタ２を上下反転させてレセプタクルコネクタ２２に嵌合させた場合、第１コンタクト４の接点部４ａが第２コンタクト２４の接触部２４ａの上側部分２４ｃと接触し、第１コンタクト４と第２コンタクト２４とが電気的に接続される。
【００１８】
この実施の形態に係る発明によれば、プラグコネクタ２、及びレセプタクルコネクタ２２の何れにおいてもコンタクトの配列を一列のみに抑え、かつ第２コンタクト２４の接触部２４ａの上側部分２４ｃ、下側部分２４ｄの何れにも第１コンタクト４が接触できるように構成することにより、プラグコネクタ２、レセプタクルコネクタ２２の何れか一方を上下反転させても嵌合させることができる部品点数が少なく安価な電気コネクタを提供することができる。
【００１９】
なお、上述の実施の形態において、第２コンタクト２４は、必ずしも接触部２４ａに貫通穴３２を備えなくてもよい。例えば、図９に示す第２コンタクト２４１のように、接触部２４ａを上接触部２４ｅと下接触部２４ｆとに分割する。そして、上接触部２４ｅと下接触部２４ｆの間に板状部２６ａの先端側の方向が開放されたスリット２４ｇを形成し、第２コンタクト２４１が略音叉形状を有するようにする。
【００２０】
この場合、スリット２４ｇに樹脂部材が充填され、上接触部２４ｅの上側部分が板状部２６ａの上側表面から露出すると共に、下接触部２４ｆの下側部分が板状部２６ａの下側表面から露出する。そして、上接触部２４ｅの上側部分と下接触部２４ｆの下側部分の何れか一方が第１コンタクト４の接点部４ａと接触する。
【００２１】
また、図１０に示す第２コンタクト２４２のように、接触部２４ａが、接続部２４ｂから板状部２６ａの先端側に延びる第１接触部２４ｘ、板状部２６ａの先端の位置で折り返し部２４ｙ、及び折り返し部２４ｙで折り返して接続部２４ｂの方向に延びる第２接触部２４ｚを備えるようにしてもよい。ここで、第１接触部２４ｘと第２接触部２４ｚの間には、スリット状の間隙４０が形成される。また、第２接触部２４ｚは、第１接触部２４ｘの付け根に対応する位置の手前まで延び、第２接触部２４ｚの先端と接続部２４ｂとの間には切欠部４０ａが形成される。
【００２２】
この場合、間隙４０に樹脂部材が充填され、第１接触部２４ｘの上側部分が板状部２６ａの上側表面から露出すると共に、第２接触部２４ｚの下側部分が板状部２６ａの下側表面から露出する。そして、第１接触部２４ｘの上側部分と第２接触部２４ｚの下側部分の何れか一方が第１コンタクト４の接点部４ａと接触する。
【００２３】
また、レセプタクルコネクタ２２には、図６に示す第２コンタクト２４に混在して、図９に示す第２コンタクト２４１が一部に配列されるようにしてもよく、第２コンタクト２４１に混在して、第２コンタクト２４が一部に配列されるようにしてもよい。
【００２４】
同様に、図６に示す第２コンタクト２４に混在して、図１０に示す第２コンタクト２４２が一部に配列されるようにしてもよく、第２コンタクト２４２に混在して、第２コンタクト２４が一部に配列されるようにしてもよい。
【００２５】
また、上述の実施の形態において、プラグコネクタ２がレセプタクルコネクタ２２に嵌合された状態にロックするロック金具をプラグコネクタ２に備えるようにしてもよい。例えば、第１ハウジング６のコンタクト配列方向の両側部に一対のロック金具５０（図１４参照）を配置する。そして、図１１に示すように、第１シェル８のコンタクト配列方向の両側部に、ロック金具５０の先端部を露出させる開口部５２を設ける。ここで、ロック金具５０の先端部には、後述する係合部５４（図１２参照）と係合する爪部５０ａが形成されている。また、ロック金具５０は弾性を有し、ロック金具５０の弾性力によって爪部５０ａがコンタクト配列方向の外側に付勢される。
【００２６】
一方、図１２に示すように、レセプタクルコネクタ２２の第２シェル２８のコンタクト配列方向の両側部には、爪部５０ａと係合する係合部５４を形成する。
【００２７】
この場合、レセプタクルコネクタ２２にプラグコネクタ２が挿入されると、ロック金具５０の弾性力によって爪部５０ａが第２シェル２８の外側方向に押付けられる。そして、爪部５０ａが係合部５４の位置する位置まで移動すると、図１３、１４に示すように、爪部５０ａが係合部５４と係合し、プラグコネクタ２がレセプタクルコネクタ２２から脱抜しないようにロックされる。
【００２８】
なお、プラグコネクタ２を上下反転させてレセプタクルコネクタ２２に挿入した場合も同様に、爪部５０ａが係合部５４と係合し、プラグコネクタ２がレセプタクルコネクタ２２から脱抜しないようにロックされる。
【００２９】
また、図１５に示すように、ロック金具５０は、爪部５０ａが上側を向くように配置し、ロック金具５０の弾性力によって爪部５０ａが上側に付勢されるようにしてもよい。そして、プラグコネクタ２の第１シェル８の上側表面において、コンタクト配列方向の両端部に、爪部５０ａを露出させる開口部６２を形成する。また、図１６に示すように、レセプタクルコネクタ２２の第２シェル２８の上側表面において、コンタクト配列方向の両端部に、爪部５０ａと係合する係合部６４を形成する。第２シェル２８の下側表面においても同様に、コンタクト配列方向の両端部に爪部５０ａと係合する係合部６４を形成する。
【００３０】
この場合、レセプタクルコネクタ２２にプラグコネクタ２が挿入されると、図１７に示すように、爪部５０ａが係合部６４と係合し、プラグコネクタ２がレセプタクルコネクタ２２から脱抜しないようにロックされる。プラグコネクタ２を上下反転させてレセプタクルコネクタ２２に挿入した場合もまた、図１８に示すように、爪部５０ａが係合部６４と係合し、プラグコネクタ２がレセプタクルコネクタ２２から脱抜しないようにロックされる。
【００３１】
また、上述の実施の形態において、第２コンタクト２４の貫通穴３２は必ずしも複数である必要はなく、少なくとも一つ接触部２４ａに形成されていればよい。
【００３２】
また、上述の実施の形態において、第１ハウジング６は、必ずしもコンタクト保持部６ａと挿入部６ｂに分割される必要はなく、コンタクト保持部６ａと挿入部６ｂが一部材として形成されていてもよい。
【００３３】
また、上述の実施の形態において、第１コンタクト４と第１ハウジング６は、必ずしもインサート成形される必要はなく、第１ハウジング６に第１コンタクト４を組み付けるようにしてもよい。同様に、第２ハウジング２６に第２コンタクト２４を組み付けるようにしてもよい。
【符号の説明】
【００３４】
２…プラグコネクタ、４…第１コンタクト、４ａ…接触部、６…第１ハウジング、６ａ…コンタクト保持部、６ｂ…挿入部、８…第１シェル、１０…挿入孔、２２…レセプタクルコネクタ、２４…第２コンタクト、２６…第２ハウジング、２６ａ…板状部、２６ｂ…ボディ部、２８…第２シェル、３０…受入孔、３２…貫通穴
【図１】
2015213000.tif 000003
【図２】
2015213000.tif 000004
【図３】
2015213000.tif 000005
【図４】
2015213000.tif 000006
【図５】
2015213000.tif 000007
【図６】
2015213000.tif 000008
【図７】
2015213000.tif 000009
【図８】
2015213000.tif 000010
【図９】
2015213000.tif 000011
【図１０】
2015213000.tif 000012
【図１１】
2015213000.tif 000013
【図１２】
2015213000.tif 000014
【図１３】
2015213000.tif 000015
【図１４】
2015213000.tif 000016
【図１５】
2015213000.tif 000017
【図１６】
2015213000.tif 000018
【図１７】
2015213000.tif 000019
【図１８】
2015213000.tif 000020